(57)【特許請求の範囲】
【請求項１】
マンホール（６）の削孔部（６ａ）に枝管（７）を挿入した状態で前記マンホールと枝管とを連結するためのジョイントであって、マンホールの削孔部内に嵌込む環状弾性シール材と、弾性シール材（２）内に内端を嵌込む剛性管（１）と、剛性管の内周面から該内周面に垂直に環状弾性シール材を貫いてマンホールの削孔部に打ち込まれるボルト（５）と、剛性管内に内端を嵌込まれる枝管と、剛性管の外周面外端に嵌合する大径部（３ｅ）と，枝管に嵌合する小径部（３ｆ）とを有し，且つ剛性管と枝管とに跨がって嵌合する環状弾性嵌着材（３）と、弾性嵌着材の小径部外周および大径部外周に巻回される締付バンド（４）とからなるマンホール耐震ジョイント。
【請求項２】
押出成形した紐状成形品の端部をつなぎ合わせて形成したところの環状弾性シール材（２）の外周面に削孔部（６ａ）に弾接する山形状のシールリップ部（２ａ）を突設すると共に、外周面端部に，マンホール（６）の外壁面に弾接する位置決め鍔部（２ｂ）を突設した請求項１記載のマンホール耐震ジョイント。
【発明の詳細な説明】
【０００１】
【発明の属する技術分野】
本発明は、下水道設備等に使用するマンホールと、そのマンホールの削孔部に連通する枝管とを接続する耐震性に優れたジョイントに関するものである。
【０００２】
【従来の技術】
従来、下水道設備等に使用するマンホールと、そのマンホールに連通する枝管とを接続するためのジョイントとして、例えば、図１に示すものがある。
【０００３】
これは、マンホール６に穿設した削孔部６ａに挿通した枝管７に、環状ゴムソケット８のＣ字状スリット付拡張バンド部８ａを挟んで剛性継手９を挿通し、締付帯１０で締結すると共に、剛性継手９の鍔部９ａに複数のボルト１１を打ち込んでマンホール６に固定している。こうした構造のジョイントは、ある程度の耐震性を有する。
【０００４】
【発明が解決しようとする課題】
しかし、この従来のジョイントの耐震性は必ずしも十分とは言えない。すなわち、このジョイントにおいては、剛性継手９の鍔部９ａにボルト１１を打ち込んでマンホール６に固定しているために、ボルト１１の打込み方向が枝管７の挿入方向とほぼ平行に近くなっている。従って、地震あるいは大きな振動が発生した場合において、枝管７がマンホール６から抜ける方向Ｄに力が作用すると、ボルト１１はその力に効果的に対抗することができない。その結果、枝管７がマンホール６から外れてしまい易い。
【０００５】
枝管７がマンホール６から外れてしまうといった事態を防止するためには多数のボルト１１を打ち込めば良いが、そうするとコストが嵩み、多大の施工時間を要するので好ましくない。
【０００６】
本発明はこうした問題に鑑み創案されたもので、耐震性に優れ、かつ、コストの削減と施工時間の短縮を図ることのできるマンホール耐震性ジョイントを提供することを課題とする。
【０００７】
【課題を解決するための手段】
図２乃至図５を参照して説明する。本発明に係るマンホール耐震ジョイントは、マンホール６の削孔部６ａに枝管７を挿入した状態で前記マンホールと枝管とを連結するためのジョイントであって、マンホール６の削孔部６ａ内に嵌込む環状弾性シール材２と、弾性シール材２内に内端を嵌込む剛性管１と、剛性管１の内周面から該内周面に垂直に環状弾性シール材２を貫いてマンホールの削孔部６ａに打ち込まれるボルト５と、剛性管１内に内端を嵌込まれる枝管７と、剛性管１の外周面外端に嵌合する大径部３ｅと，枝管７に嵌合する小径部３ｆとを有し，且つ剛性管１と枝管７とに跨がって嵌合する環状弾性嵌着材３と、弾性嵌着材３の小径部３ｆおよび大径部３ｅの外周に巻回される締付バンド４とからなるものである。
【０００８】
なお、弾性シール材２を、押出成形したところの紐状成形品の端部をつなぎ合わせ形成し、その外周面に、削孔部６ａに弾接する山形状のシールリップ部２ａを突設すると共に、外周面端部に、マンホール６の外周面に弾接する位置決め鍔部２ｂを突設したものとすると良い。
【０００９】
【発明の実施の形態】
本発明に係るマンホール耐震ジョイントの実施形態を、図２乃至図５に示す。この耐震ジョイントは、マンホール６の削孔部６ａに枝管７を挿入した状態で、当該マンホール６と枝管７とを連結するためのものであって、剛性管１，環状弾性シール材２，環状弾性嵌着材３，複数の締付バンド４および複数のボルト５で構成される。
【００１０】
剛性管１は、枝管７の末端部に嵌合し、一端部が削孔部６ａ内に侵入位置するところの剛性に優れた円筒状のステンレス製である。弾性シール材２は、押出成形した紐状成形品を所定長さに切断し、円筒状に丸めて端部同士をつなぎ合わせ円環状にしたものである。当該弾性シール材２は、剛性管１の外周面内端に嵌合し、削孔部６ａの内周面に弾接する四つの山形状に形成したシールリップ部２ａと、マンホール６の外壁面に弾接する位置決め鍔部２ｂとを有するゴム製である。
【００１１】
弾性嵌着材３は、肉薄で筒状の硬質ゴム製で、剛性管１の外周面外端に嵌合する大径部３ｅと枝管７に嵌合する小径部３ｆとを有し、前記剛性管１と枝管７とに跨がって嵌合するものである。この弾性嵌着材３も、弾性シール材２と同様に、押出成形した紐状成形品を所定長さで切断し、円筒状に丸めて端部同士をつなぎ合わせ円環状にしたものである。締付バンド４は、金属製で、弾性嵌着材３の小径部３ｆおよび大径部３ｅに巻回され、当該弾性嵌着材３を枝管７および剛性管１に強固に締付けて固定する。そして、ボルト５は、剛性管１の内周面から、当該内周面に対して垂直方向に、弾性シール材２を貫通して、マンホール６の削孔部６ａの内周面に打ち込まれるものである。なお、ボルト５の数は剛性管１の径によって決定する。
【００１２】
このマンホール耐震ジョイントの最大の特徴は、耐震性に優れることである。すなわち、この耐震ジョイントにおいては、ボルト５を剛性管１の内周面から、当該内周面に垂直方向に向けてマンホール６の削孔部６ａに打ち込んでいるため、地震等によって枝管７がマンホール６から抜ける方向Ｄに力が作用した際、その抜ける方向Ｄに対して垂直に位置するボルト５は、その力に効果的に対抗することができる。従って、枝管７の抜け出しを未然を防止することができる。
【００１３】
ちなみに、ボルト５が、図１に示す従来技術のように枝管７が抜ける方向Ｄにほぼ平行に近く打ち込まれていると、振動によってボルト５が抜け、それによって枝管７が外れてしまい易い。本発明の耐震ジョイントは、ボルト５が枝管７が抜ける方向Ｄに対して垂直に打ち込まれているので、ボルト５自体が抜け難く、よって枝管７の抜け出しを確実に防止することができる。
【００１４】
なお、剛性管１と枝管７とが弾性嵌着材３および締付バンド４によって強固に固定されていることによっても、枝管７の抜け出しが確実に防止される。
【００１５】
また、各ボルト５が従来のボルト１１より大きな力に対抗することができるため、ボルト５の打込み本数を削減することができ、これにより、コストの削減と施工時間の短縮を図ることができる。
【００１６】
さらに、剛性管１はその一端部を削孔部６ａ内に侵入位置させるものであり、従来の剛性継手９のように鍔部９ａを設ける必要がないので、成形材料を節減でき、コストを削減することができる。
【００１７】
なお、本実施形態においては、剛性管１の一端部外周面に二つの凸部１ｃを設け、その凸部１ｃに弾性シール材２の内周面に形成した凹部２ｃを係合させ、両者を正確に組付けるようにしている。また、剛性管１の他端部外周面にも突条部１ｄを設けると共に弾性嵌着材３の内周面に係合部３ｄを形成し、両者を係合して組付き位置を設定している。
【００１８】
また、弾性シール材２および弾性嵌着材３は押出成形によって紐状に成形し、所定長さに切断して端部同士をつなぎ合わせ円環状にすることによって、あらゆる口径の枝管７に対応したものを容易に製作することができる。また、周方向に押出成形するので、弾性シール材２では山形状のシールリップ部２ａ、位置決め鍔部２ｂおよび凹部２ｃを正確に形成することができ、弾性嵌着材３では大径部３ｅ、小径部３ｆおよび係合部３ｄを正確に形成することができる。
【００１９】
なお、図２に示す如く、剛性管１の内端側の枝管７と削孔部６ａとの間にポリエチレン発泡体製紐状成形品を削孔部６ｃに沿わせるように嵌め込み両端を突合わせてバックアップ材２０とし、バックアップ材２０の内側の枝管７と削孔部６ａとの間の隙間にシリコーンまたはウレタン等よりなる不定形シーリング材２１を充填すればシール性が向上する。
【００２０】
また削孔部６ａと弾性シール材２との間にシーリング材等の接着剤２２を介在させることによりシール性が向上する。
【００２１】
【発明の効果】
本発明に係るマンホール耐震ジョイントは、ボルト５を剛性管１の内周面から、当該内周面に垂直方向に向けてマンホール６の削孔部６ａに打ち込んでいるため、枝管７の抜け出しを未然に防止することができる。これにより、これまでよりも高い耐震性を持たせることができる。
【００２２】
また、各ボルト５が従来のボルト１１より大きな力に対抗することができるため、ボルト５の打込み本数を削減することができ、これにより、コストの削減と施工時間の短縮を図ることができる。
【図面の簡単な説明】
【図１】  従来例に係るマンホール耐震ジョイントを示す半断面平面図である。
【図２】  本発明に係るマンホール耐震ジョイントの実施形態を示す部分断面平面図である。
【図３】  図２に示すマンホール耐震ジョイントの剛性管を示す半断面平面図である。
【図４】  図２に示すマンホール耐震ジョイントの弾性シール材を示す半断面平面図である。
【図５】  図２に示すマンホール耐震ジョイントの弾性嵌着材を示す半断面平面図である。
【符号の説明】
１    剛性管
１ｃ  凸部
１ｄ  突条部
２    弾性シール材
２ａ  シールリップ部
２ｂ  位置決め鍔部
２ｃ  凹部
３    弾性嵌着材
３ｄ  係合部
３ｅ  大径部
３ｆ  小径部
４    締付バンド
５    ボルト
６    マンホール
６ａ  削孔部
７    枝管
８    ゴムソケット
８ａ  拡張バンド部
９    剛性継手
９ａ  鍔部
１０  締付帯
１１  ボルト
２０  バックアップ材
２１  シーリング材
２２  接着剤
Ｄ    抜ける方向
【図１】
0004425498.tif 000002
【図２】
0004425498.tif 000003
【図３】
0004425498.tif 000004
【図４】
0004425498.tif 000005
【図５】
0004425498.tif 000006